(57)【要約】      （修正有）【課題】側板等の部材内部への取付構造の作り込みを極力回避しつつ合理的にパネルの組み付け等を可能にした天板付家具を提供する。【解決手段】左右の側板１，１に天板２を架設するとともに、天板２の後縁下方に収納空間Ｓを、後縁上方にパネル４を設けるにあたり、天板２の後縁に切欠部２１を、パネル支持領域２２を左右端部に残した状態で形成し、その切欠部２１を介して収納空間Ｓを上方に開放するとともに、パネル支持領域２２上にパネル支持部材４０を位置づけて当該パネル支持部材４０の少なくとも下端部を切欠部２１内を通過して側板１の内面１ａに固定し、左右のパネル支持部材４０、４０にパネル４の左右両端部を取り付けて当該パネル４を収納空間Ｓの上方に位置づけることとした。【選択図】図３
2012019894.tif 000002
【特許請求の範囲】
【請求項１】
左右の側板に天板を架設するとともに、天板の後縁下方に収納空間を、後縁上方にパネルを設けるようにしたものであって、
前記天板の後縁に切欠部を、パネル支持領域を左右端部に残した状態で形成し、その切欠部を介して前記収納空間を上方に開放するとともに、前記パネル支持領域上にパネル支持部材を位置づけて当該パネル支持部材の少なくとも下端部を切欠部内を通過して側板の内面に固定し、左右のパネル支持部材にパネルの左右両端部を取り付けて当該パネルを収納空間の上方に位置づけてなることを特徴とするパネルを備えた天板付家具。
【請求項２】
前記収納空間をパネル支持部材とともに背面側から閉止する後壁を、切欠部内に収まるようにして側板の内面間に配置している請求項１記載のパネルを備えた天板付家具。
【請求項３】
収納空間は、天板又は側板に固定されて前方に配置される前壁と、この前壁の後方に取り付けられる前記後壁とを含んで上方及び左右側方に開口する扁平コ字形に形成され、その収納空間内に左右のパネル支持部材の側板への固定部分を収めている請求項２記載の天板付家具。
【請求項４】
パネル支持領域の幅が側板の厚みに略対応している請求項１〜３記載のパネルを備えた天板付家具。
【請求項５】
パネル支持部材の一部は天板のパネル取付領域にも固定されるものであり、パネルは、左右両端に前記パネル支持部材を外嵌する支柱を有し、この支柱により前記パネル支持部材のパネル取付領域への固定部分を隠蔽している請求項１〜４記載の天板付家具。
【請求項６】
パネルは、左右両端に前記パネル取付領域上に位置する支柱を有し、その支柱間に掲示や筆記等を行うパネルの機能領域が設定されて、前記収納空間の収納領域が切欠部とともに左右の側板間の内法寸法ほぼ全域に対応し、同じくパネルの掲示領域も前記左右の側板間の内法寸法ほぼ全域に対応している請求項１〜５記載のパネルを備えた天板付家具。
【発明の詳細な説明】
【技術分野】
【０００１】
本発明は、天板の後縁下方に収納空間を有し、後縁上方にパネルを配置する構造の天板付家具に係り、特に部材内部への取付構造の作り込みを回避しつつ見栄え良く簡素に組み立て可能とした、パネルを備えた天板付家具に関するものである。
【背景技術】
【０００２】
従来より、スチールデスク等において、デスクトップパネルの取り付けや配線ダクトへの出し入れ空間を形成すべく、特許文献１等に示されるように、天板を前方にずらして左右の脚側板の内法間のダクト空間を上方に開放し、同時に、脚側板の上面などにパネル取付部を仕込んで、このパネル取付部に上方からブラケットを取り付け、そのブラケットにパネルの左右両端部を取り付けて、ブラケットの周囲を覆うカバーを装着するようにしていることが多い。
【先行技術文献】
【特許文献】
【０００３】
【特許文献１】特開２０１０−９９３５７号公報
【発明の概要】
【発明が解決しようとする課題】
【０００４】
しかしながら、木製の側板や、スチール製の側板であっても内部に剛性のあるパネル取付構造の作り込みが難しいようなものにおいては、天板を前方にずらすことで左右の側板間のダクト空間を上方に開放するメリットよりも、脚側板の内部が利用できないことから天板と側板の間に段差ができるデメリットの方が大きい。このため、天板を前方にずらさずに左右の側板間のダクト空間を上方に開放する構造が望まれる。
【０００５】
この場合、天板の後縁上方にパネルを取り付けるためには、パネル支持部材を少なくとも側板の側面や後面に外付けで確実に固定することが必要になるが、天板の上面から側板の側面や後面にかけてパネル支持部材を取り付けたのでは、パネル支持部材が露出して見栄えが著しく損なわれるため、パネル支持部材を露出させずに天板や側板に外付けで固定できるパネル取付構造も同時に実現することが必要になる。
【０００６】
本発明は、このような課題に着目し、側板等の部材内部への取付構造の作り込みを極力回避しつつ合理的にパネルの取り付け、収納空間の上方開放を可能にした天板付家具を新たに提供することを目的としている。
【課題を解決するための手段】
【０００７】
本発明は、かかる目的を達成するために、次のような手段を講じたものである。
【０００８】
すなわち、本発明のパネルを備えた天板付家具は、左右の側板に天板を架設するとともに、天板の後縁下方に収納空間を、後縁上方にパネルを設けるにあたり、前記天板の後縁に切欠部を、パネル支持領域を左右端部に残した状態で形成し、その切欠部を介して前記収納空間を上方に開放するとともに、前記パネル支持領域上にパネル支持部材を位置づけて当該パネル支持部材の少なくとも下端部を切欠部内を通過して側板の内面に固定し、左右のパネル支持部材にパネルの左右両端部を取り付けて当該パネルを収納空間の上方に位置づけてなることを特徴とする。
【０００９】
このように構成すると、天板を側板に対して前方にずらさずとも収納空間を上方に開放することができ、しかも切欠部の両側にパネル支持領域を残すことによって側方において天板の欠損部が発生することがなく、側板との間に段差も生じないため、側方からの見栄えも有効に確保することができる。また、パネル支持部材も切欠部内を通過して側板の内面に固定され、側方に露出することがないため、パネルの取り付けも側方からの見栄えを損なうことなく有効に行うことができる。
【００１０】
後方からの見栄えも同時に向上させるためには、前記収納空間をパネル支持部材とともに背面側から閉止する後壁を、切欠部内に収まるようにして側板の内面間に配置していることが望ましい。
【００１１】
切欠部内においてパネル支持部材と干渉することなく収納空間を有効に構成するためには、当該収納空間を、天板又は側板に固定されて前方に配置される前壁と、この前壁の後方に取り付けられる前記後壁とを含んで上方及び左右側方に開口する扁平コ字形に形成し、その収納空間内に左右のパネル支持部材の側板への固定部分を収めるようにしていることが好ましい。
【００１２】
パネル支持部材を安定設置するためには、パネル支持領域の幅が側板の厚みに略対応していることが好都合である。
【００１３】
パネルの取付強度を、外観を毀損することなく有効に高めるためには、パネル支持部材の一部を天板のパネル取付領域にも固定する一方、パネルを、左右両端に前記パネル支持部材を外嵌する支柱を有するものにして、この支柱により前記パネル支持部材のパネル取付領域への固定部分を隠蔽することが好適である。
【００１４】
取付構造に関連して収納機能や機能領域を適切に確保するためには、パネルは、左右両端に前記パネル取付領域上に位置する支柱を有し、その支柱間に掲示や筆記等を行うパネルの機能領域が設定されて、前記収納空間の収納領域が切欠部とともに左右の側板間の内法寸法ほぼ全域に対応し、同じくパネルの掲示領域も前記左右の側板間の内法寸法ほぼ全域に対応していることが望ましい。
【発明の効果】
【００１５】
本発明は、以上説明した構成であるから、側板の内部にパネル取付構造を持ち込まずとも、簡易な外付け構造で、外観を毀損することなくパネルの取り付けや収納空間の上方開放を行うことができる。このため、木製の側板を備えた天板付家具や、側板内部に取付構造を組み込むことが難しいスチール製の側板を備えた天板付家具、更には諸般の事情により外付けてパネルを取り付けて収納空間も開放する必要がある種々の天板付家具に好適に適用することが可能となる。
【図面の簡単な説明】
【００１６】
【図１】本発明の一実施形態に係る用紙収納装置を適用して記載台として利用される天板付家具を示す前方斜視図。
【図２】同後方斜視図。
【図３】同要部分解斜視図。
【図４】図３の組立斜視図。
【図５】同天板付家具に付帯するパネルと用紙収納装置の取付構造を示す部分側断面図。
【図６】同部分平面図。
【図７】同部分正断面図。
【図８】用紙収納装置の構成を示す部分側断面図。
【図９】同用紙収納装置を構成する後壁の前面を示す図。
【図１０】同用紙収納装置における用紙の収納状態を示す部分側断面図。
【図１１】同用紙収納装置における用紙の他の収納状態を示す部分側断面図。
【図１２】同用紙収納装置を仕切りとともに示す部分側断面図。
【発明を実施するための形態】
【００１７】
以下、本発明の一実施形態を、図面を参照して説明する。
【００１８】
図１及び図２に示す本実施形態の天板付家具は、役所等の公共機関に設置されて来訪者が立ったままで申請書等の記載をするための記載台として利用されるものである。この天板付家具の基本構造は、左右の側板１、１の間に天板２を架設するとともに、天板２の後縁下方に用紙を収納する用紙収納装置３を構成し、天板２の後縁上方に用紙の記入例を掲示するパネル４を取り付けたものである。パネル４の下縁４ａと収納収納装置３の上方開口３ａとはほぼ同じ立面内にあって、その間には用紙の出し入れ空間となる間隙δが設けられるとともに、パネル４の掲示領域や用紙収納装置３の収納領域を幅方向に極力広くとるための工夫や、用紙を扱い易くする工夫等が凝らされている。天板２の後縁とは、この実施形態では使用端側である前縁とは反対側にある縁部を指している。
【００１９】
以下、具体的に説明する。天板２の後縁には、図３に示すように当該天板２をコ字状にするような切欠部２１が設けられている。この切欠部２１は、天板２の後縁下方の収納空間Ｓを上方に開放するためのもので、この実施形態では天板２の後縁に配置される用紙収納装置３の収納空間Ｓが切欠部２１を介して上方に開放される。切欠部２１の幅方向両端に切り残された領域はパネル支持領域２２として設定され、このパネル支持領域２２の幅ｄ１は側板１の厚みｄ２にほぼ対応していて、その上に図４にも示すようにパネル支持部材４０が立設される。パネル支持部材４０は、チャネル状の支持杆４０ａを有し、その支持杆４０ａの一方の端面に取付板４０ｂが剛接されていて、その取付板４０ｂから更に下方に向けて垂下片４０ｃが一体に延びている。そして、取付板４０ｃを図４及び図５に示すようにパネル支持領域２２上に重合させ、垂下片４０ｃを図３に示したパネル支持領域２２の内側面２２ａ及び側板１の内側面１ａに沿って垂下させて、上方から取付板４０ｂをパネル支持領域２２にねじにより固定し（図６参照）、垂下片４０ｃを側板１の内側面１ａにねじにより固定するようにしている。
【００２０】
その際、パネル支持部材４０は、図４及び図５に示すごとく用紙収納装置３と干渉しない状態で当該用紙収納装置３の収納空間Ｓ内に収められる。用紙収納装置３は、図３及び図８等に示すように、立壁である前壁３１及び後壁３２と、底壁３３とを備えて、上方及び左右側方に開口する扁平コ字形をなし、前壁構成部材３ｘと後壁構成部材３ｙとが底壁３３となる底連結片３３ａ、３３ｂ同士の間でねじにより連結される。この実施形態では、前壁３１および後壁３２が左右の側板１、１間の内法寸法ほぼ全域に亘っており、パネル支持部材４０との干渉を避けるべく、図３の状態からパネル支持部材４０を取り付けるよりも先に前壁構成部材３ｘが取り付けられる。前壁構成部材３ｘは、前壁３１の上縁に取付片３１ａを有し、左右の側板１の内面１ａ、１ａ間に配置されて、その取付片３１ａが天板２の後縁側の下面２ｂにねじ止めされる。この取付位置で、図８等に示すように切欠部２１に臨む天板２の後端２ａと前壁構成部材３ｘの前壁３１とはほぼ面一な立面とされる。天板２の後縁における上面２ｃには、用紙収納装置３の前壁３１と同じ前壁の役割をなす立面５ａを有し実質的に収納空間Ｓを天板２の上方にまで嵩上げしてその上方に開口縁ＯＰ１を形成するための収納補助部材５が取り付けられる。
【００２１】
一方、後壁構成部材３ｙは、後壁３２の上に前記収納補助部材５と対をなして収納空間Ｓを上方に嵩上げしその上方に前記収納補助部材５とともに開口縁ＯＰ２を形成する袋状の開口縁形成部３０を有するもので、両開口縁ＯＰ１、ＯＰ２はともに上方に向けて前後に開く階段状をなしている。この後壁構成部材３ｙは、先に前壁構成部材３ｘ、パネル支持部材４０と取り付けた後に、前壁構成部材３ｘとの間にパネル支持部材４０を収めるようにして前壁３１及び後壁３２の底部に設けた底形成片３３ａ、３３ｂ同士（図３参照）を連結され、当該後壁構成部材３ｙの側方に設けた取付片３２ａが図４及び図５に示すように側板１の内面１ａにねじ止めされる。
【００２２】
そして、このようにして左右のパネル支持領域２２、２２に取り付けたパネル支持部材４０に、図５及び図７に示すようにパネル４の左右両端部を取り付けてパネル４の掲示領域４ｐを収納空間Ｓの上方に位置づけるようにしている。パネル４の左右両端には図３及び図７に示すように支柱４１が垂下しており、この支柱４１を前記パネル支持部材４０を外嵌する位置に取り付けてねじにより固定することで、図７に示すように当該パネル支持部材４０の前記パネル取付領域２２へのねじによる固定部分を隠蔽するようにしている。
【００２３】
用紙収納装置３は、用紙サイズに応じて収納サイズを可変とするものである。具体的に説明すると、図３、図４及び図８等に示すように、立壁である後壁３２には、高さ方向に沿って複数段に開口する挿入部たるスリット３２ｂが打ち抜いて形成してあり、これらのスリット３２ｂに、板材よりなる用紙支持部材６を挿入するようにしている。用紙支持部材６は、スリット３２ｂに挿入されて収納空間Ｓ内で可動底を形成する底形成部６１と、この底形成部６１の適切な挿入深さ位置で立壁である後壁３２の外面に添って配置される摘み部６２とを備えているもので、底形成部６１をスリット３２ｂに挿入して収納空間Ｓ内に可動底として位置づけることにより、選択した段に応じた深さで前記開口縁ＯＰ１、ＯＰ２から投入される用紙を立て掛けた状態に支持し得るものである。このようなスリット３２ｂは、天板幅方向に繰り返し所定の間隔で設けてあり、幅方向に沿って何れかのスリット３２ｂに前記用紙支持部材６を挿入することにより、用紙を支持する幅方向位置をも選択することを可能としている。前壁３１にも、これら後壁３２のスリット３２ｂに対応する位置にスリット３１ｂが設けてあり、後壁３２のスリット３２ｂに挿入された底形成部６１は図１０に示すように前壁３１のスリット３１ｂにも挿し込まれて、両持ち的に支持されるようにしている。図９は用紙収納装置３の収納空間Ｓから後壁３２の前面を見た例である。この実施形態は上下３段のスリット３２ｂが幅方向に所定ピッチで連続しており、図示例では縦長の用紙Ｐ１を中段のスリット３２ｂに挿入した用紙支持部材６の底形成部６１に支持させ、横長の用紙Ｐ２を上段のスリット３２ｂに挿入した用紙支持部材６の底形成部６１に支持させている。このように、挿し込むスリット３２ｂの高さや幅方向位置を選択して用紙支持部材６を挿入するだけで、用紙のサイズや挿入の向きに応じたサイズの収納部を収納空間Ｓ内に構成することができる。図１０は図９における用紙Ｐ２を支持している部分の縦断面であり、図１１は図９における用紙Ｐ１を支持している部分の縦断面である。何れの挿し込み位置でも、用紙支持部材６は底壁３３の上方に配置される。
【００２４】
なお、この実施形態における用紙支持部材６の特徴として、図３及び図９等に示すように、共通の摘み部６２に対して複数の底形成部６１を分岐させて幅方向に所定間隔で並列に設けており、後壁３２や前壁３１のスリット３２ｂ、３１ｂに幅方向に沿って１つ飛ばしで対応する底形成部６１が挿入されるようにしている。つまり、一対の底形成部６１の間隔の１／２ピッチで用紙支持部材６の幅方向の位置を可変としている。勿論、２つ飛ばし或いはそれ以上の間隙で２若しくは３以上の底形成部６１を挿入するようにしてもよい。
【００２５】
さらに、この実施形態では、図３及び図８等に示すように摘み部６２と底形成部６１とのなす角を９０度以外の値に設定してあり、用紙支持部材６の挿入位置で図１０等に示すように底形成部６１が前傾するように構成している。したがって、底形成部６１が挿入される後壁３２のスリット３２ｂに対して、その底形成部６１が挿し込まれる前壁３１のスリット３１ｂは高さ位置が異ならせてある。
【００２６】
その理由は、用紙束ＰＰを上方から収納空間Ｓに投入した場合、用紙の堅さにもよるが、その可撓性ゆえに、図示例のように後壁３２に凭れるように支持されるか、或いは図示しないが前壁３１（正確には収納補助部材５の立面５ａ）に倒れるように支持されるかが、可動底である底形成部６１が前傾しているか後傾しているかによって変わってくる場合があり、例えば後壁３２に凭れるように撓った方が用紙の見出しが視認し易いなどの事情に応じてかかる傾斜を利用することができる。図示例では前傾状態で配置されるように用紙支持部材６を構成しているが、後傾状態にする方が好ましい場合には摘み部６２及び底形成部６１を上下反転して用紙支持部材６を挿入部であるスリット３１ｂ、３２ｂに挿入できるようにしておけばよく、何れの方向へ上下反転させても使用できるようにスリット３１ｂ、３２ｂの位置関係を設定して前傾と後傾とを切り替え可能としておくことも有効である。勿論、前壁３１や後壁３２を傾斜させる構成も採用できるし、また、用紙の姿勢が特に問題とならなければ摘み部６２と底形成部６１とのなす角を９０度とし底形成部６１が水平に挿し込まれるように構成しても構わない。
【００２７】
さらにまた、本実施形態の用紙収納装置３は、図３、図６及び図８等に示すように、収納空間Ｓの上方開口縁ＯＰ１を構成する収納補助部材５に仕切り支持部として幅方向に延びる連続開口５ｚが、また後壁構成部材３２の上方開口縁ＯＰ２には仕切り支持部として所定ピッチで幅方向に延びるスリット３ｚ（図６参照）がそれぞれ形成してあり、収納空間Ｓを幅方向に仕切るために構成した図３及び図１２に示す板材からなるＴ字状の仕切り７が、何れかのスリット３ｚと連続開口５ｚとの間に上腕部７ａを差し込んだ状態で仕切り本体７ｂを前壁３１と後壁３２の間に挿入可能に構成されていて、その仕切り７により、図９に示すように収納空間Ｓを幅方向に沿って適宜の位置で仕切ることを可能にしている。
【００２８】
なお、図１０及び図１１に示すように、用紙支持部材６が挿し込まれた後壁３２を覆う位置には、必要に応じて後壁３２のスリット３２ｂを覆う領域にカバー８が着脱可能とされている。用紙支持部材６は、挿入状態で摘み部６２を後壁３２にねじ等により固定しておくようにしてもよい。
【００２９】
以上のように、本実施形態の天板付家具は、左右の側板１，１に天板２を架設するとともに、天板２の後縁下方に収納空間Ｓを、後縁上方にパネル４を設けるにあたり、前記天板２の後縁に切欠部２１を、パネル支持領域２２を左右端部に残した状態で形成し、その切欠部２１を介して前記収納空間Ｓを上方に開放するとともに、パネル支持領域２２上にパネル支持部材４０を位置づけて当該パネル支持部材４０の少なくとも下端部を切欠部２１内を通過して側板１の内面１ａに固定し、左右のパネル支持部材４０、４０にパネル４の左右両端部を取り付けて当該パネル４を収納空間Ｓの上方に位置づけたものである。
【００３０】
このため、天板２を側板１に対して前方にずらさずとも収納空間Ｓを上方に開放することができ、しかも切欠部２１の両側にパネル支持領域２２を残すことによって側方において天板２の欠損部が発生することがなく、側板１との間に段差も生じないため、側方からの見栄えも有効に確保することができる。また、パネル支持部材４０も切欠部２１内を通過して側板１の内面１ａに固定され、側方に露出することがないため、パネル４の取り付けも側方からの見栄えを損なうことなく有効に行うことが可能となる。したがって、側板１の内部への作り込みを行うものに比べて、構造を簡素化しつつ、良好な外観を保ってパネル４の取り付けや収納空間Ｓの上方開放を行うことが可能となる。
【００３１】
特に、前記収納空間Ｓをパネル支持部材４０とともに背面側から閉止する後壁３２を、切欠部２１内に収まるようにして側板１の内面１ａ、１ａ間に配置しているので、側方からの見栄えを損なうことなく、パネル支持部材４０を後壁３２により隠蔽して後方からの見栄えも向上させることができる。
【００３２】
この場合の収納空間Ｓは、天板１に固定されて前方に配置される前壁３１と、この前壁３１の後方に取り付けられる前記後壁３２とを含んで上方及び左右側方に開口する扁平コ字形に形成され、その収納空間Ｓ内に左右のパネル支持部材４０の側板１への固定部分を収めているので、切欠部２１内においてパネル支持部材４０と干渉することなくダクト構造の収納空間Ｓを有効に形成することができる。
【００３３】
そして、前記パネル支持領域２２の幅ｄ１を側板１の厚みｄ２に略対応させているので、パネル支持領域２２の内側面２２ａと側板１の内側面１ａとを面一にして、パネル支持部４０材をこれらに適切に当てがうことができる。
【００３４】
また、パネル支持部材４０の一部を天板１のパネル取付領域２２にも固定するようにしており、そのためにパネル４が、左右両端に前記パネル支持部材４０を外嵌する支柱４１を有し、この支柱４１により前記パネル支持部材４０のパネル取付領域２２への固定部分を隠蔽するようにしているため、パネルの取付強度を、外観を毀損することなく有効に高めることができる。
【００３５】
さらにパネル４は、左右のパネル取付領域２２上に配した支柱４１、４１間に当該パネルの機能領域である掲示領域４ｐが設定されて、前記収納空間Ｓの収納領域が切欠部２１とともに左右の側板１，１間の内法寸法ほぼ全域に対応しているのに対し、同じくパネル４の掲示領域４ｐも左右の側板１，１間の内法寸法ほぼ全域に対応しているように構成しているので、掲示領域４ｐ、収納空間Ｓの収納領域ともに幅方向に最大限に確保することができる。そして、収納空間Ｓに記入用の用紙を収納し、掲示領域４ｐにその記入例を、上下に対応させて掲示するなど、記載台として利用する際の使い勝手を有効に向上させることが可能となる。
【００３６】
加えて、上記の構造によれば、パネル４の左右両端面は天板１の左右両端面および側板２の外面に略一致する位置に配されることになるため、天板１や側板２を幅方向に連ねた場合に、パネル４の側端面同士が密着することになり、特に個人情報を扱う場合などに天板１の前方に連続壁面を作って情報の秘匿状態を確保し易いものとなる。
【００３７】
さらには、後壁３２は、側板１の後面から後方に突出しない状態で設けられているため、天板２の後縁同士を背合わせに突き合わせて配置した状態で、前後に密接に連続するパネル支持領域２２上に各々のパネルへの支持杆を形成した共通のパネル支持部材（図示省略）を取り付ければ、このパネル支持部材によって天板１を前後に連結する連結手段としてもパネル支持部材を有効活用することができるようになる。
【００３８】
なお、本発明で取り扱う収納空間は用紙の収納目的に限らず、配線類の収納等を目的とするものであってもよいし、パネルも掲示目的に限られない。また、本発明は記載台以外の用途で用いられるデスク等の天板付家具に適用してもよい。その他、各部の具体的な構成は、上述した実施形態のみに限定されるものではなく、本発明の趣旨を逸脱しない範囲で種々変形が可能である。
【符号の説明】
【００３９】
１…側板
１ａ…内面
２…天板
４…パネル
２１…切欠部
２２…パネル支持領域
３１…前壁
３２…後壁３２
４０…パネル支持部材
４１…支柱
ｄ１…幅
ｄ２…厚み
４ｐ…機能領域（掲示領域）
Ｓ…収納空間
【図１】
2012019894.tif 000003
【図２】
2012019894.tif 000004
【図３】
2012019894.tif 000005
【図４】
2012019894.tif 000006
【図５】
2012019894.tif 000007
【図６】
2012019894.tif 000008
【図７】
2012019894.tif 000009
【図８】
2012019894.tif 000010
【図９】
2012019894.tif 000011
【図１０】
2012019894.tif 000012
【図１１】
2012019894.tif 000013
【図１２】
2012019894.tif 000014